(57)【要約】【課題】部品点数を増やすことなくターンテーブルとクランパとの接触時における騒音を軽減する。【解決手段】フレーム１０の上面に金属製の支持プレート１２を架設し、この支持プレート１２にターンテーブル３と対向するクランパ１４を設ける。支持プレート１２に長孔３０を設け、ターンテーブル３とクランパ１４との接触時にクランパ１４から支持プレート１２に伝わる振動を長孔３０によって抑制する。これにより、支持プレート１２の振動によって増幅するターンテーブル３とクランパ１４との接触音を抑制する。【選択図】図２
2007265521.tif 000002
【特許請求の範囲】
【請求項１】
ディスク状の記憶媒体を搬送する搬送機構と、この搬送機構を取り付けるフレームと、前記フレーム内に搬入された前記記憶媒体を走査するピックアップユニットと、前記記憶媒体を回転するためのターンテーブルと、このターンテーブルの対向位置に設けられるクランパと、このクランパと対向して前記フレームの側壁部間に架設する支持プレートとを備え、この支持プレートを平板状の金属薄板によって形成した記録再生装置であって、前記クランパの近傍に位置してこのクランパと前記ターンテーブルの接触時に前記クランパから前記支持プレートに伝わる振動を抑える長孔を形成したことを特徴とする記録再生装置。
【請求項２】
前記クランパが前記支持プレートの中心に対して前後に偏移した位置に取り付けられている場合、少なくとも前記長孔は、前記クランパの前方又は後方の広い領域側に形成されていることを特徴とする請求項１記載の記録再生装置。
【請求項３】
前記クランパが前記支持プレートのほぼ中心位置に取り付けられ、且つ、前記支持プレートの幅寸法に対して前記支持プレートの奥行き寸法が短い場合、少なくとも前記長孔は、前記クランパの両側に形成されていることを特徴とする請求項１記載の記録再生装置。
【発明の詳細な説明】
【技術分野】
【０００１】
本発明は、ディスク状記憶媒体（以下、単にディスクと称す）をターンテーブルとクランパで挟持してディスクを回転させる記録再生装置、特に、クランパとターンテーブルとの接触音を可及的に抑えることが可能な記録再生装置に関する。
【背景技術】
【０００２】
一般に、記録再生装置は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの記憶媒体を装置内部において回転させ、この回転した状態の記憶媒体の記録面にピックアップユニットより照射するレーザー光を当接し、前記記憶媒体の記録面より反射したレーザー光を前記ピックアップユニットによって受光することで前記記憶媒体に予め記録されている情報を読み込み再生する、或いは前記記憶媒体へ情報を書き込み記録する機能を有する。そして、記録再生装置によりディスクの記録或いは再生を行う場合、トレイやローラーなどの搬送機構により装置内部へと搬入されたディスクの記録面側に備えたターンテーブルと、前記ディスクのレーベル面側に備えたクランパとにより該ディスクを挟持し、前記ターンテーブルと連結したモータの駆動力によって前記ディスクは前記クランパ及び前記ターンテーブルと共に回転する。回転しているディスクの記録面にピックアップユニットからのレーザー光を当接して、反射する光を前記ピックアップユニットにて受光することにより、ディスクの記録或いは再生が行われることとなる。
【０００３】
これらモータと連結したターンテーブル及びピックアップユニットなどの主要部品をシャーシに組み付けてトラバースユニットとして一体化し、フレームに取り付けている。この場合、トラバースユニットの一端側は、前記フレームの内部において緩衝部材を介して連結されており、前記トラバースユニットの他端側については摺動可能なカム板と連結している。このカム板はディスクを搬送するトレイやローラーなどの搬送機構と連動して摺動し、搬送機構によって運ばれたディスクが装置内部の所定の位置まで到達すると、その搬送機構と連動するカム板が摺動し、前記カム板と連結するトラバースユニットの他端側がフレームと連結した前記トラバースユニットの一端側を支点に上昇するように回動する。これにより、所定位置にあったディスクの略中央部分に形成された開口部分に前記ターンテーブルが嵌合してさらに上昇し、前記ターンテーブルの対向位置に備えたクランパが前記ディスクのレーベル面側より押圧する状態で挟持する。
【０００４】
ディスクをターンテーブルとクランパとで挟持する場合、例えば、クランパの内部に磁石を組み付け、クランパと対向位置にあるターンテーブルの表面には前記磁石との間で吸引力が発生するように磁性体を組み付けることでディスクを挟持する。この時、ディスクの搬送機構として、装置外部と装置内部との間で往復直線移動を可能とするトレイを使用した場合、前記トレイ上にディスクが載置されていないときであっても、装置内部に前記トレイが搬入すればトラバースユニットは上昇し、ターンテーブルとクランパとが磁力によりディスクが無い状態で吸着することとなる。
【０００５】
このように、ディスクが無い状態でターンテーブルとクランパとが吸着してターンテーブルとクランパが直接、接触した際、接触音が発生する。特に、ディスクに記録された情報を読み込み再生する場合のターンテーブルの回転数と、ディスクに情報を書き込み記録する場合のターンテーブルの回転数は異なり、具体的な数値を述べれば、ディスクの再生時におけるターンテーブルの回転数が約３，０００ｒｐｍであるのに対し、ディスクへの記録時におけるターンテーブルの回転数は約９，０００ｒｐｍとなるため、ディスクの記録時におけるターンテーブルの高速回転に対する剛性を高めるためにクランパを懸架する支持プレートを金属材料により形成する場合、ターンテーブルとクランパが直接、接触すると、接触音が金属製の支持プレートに伝って増幅してしまう。
【０００６】
このような、ターンテーブルとクランパとの接触時における異音対策として、例えば、特許文献１には、クランパ（特許文献１ではディスククランパと記載）がディスクや支持プレート（特許文献１ではクランパプレートと記載）に衝突して発生する騒音や振動を抑制する手段として、クランパとディスク間、ディスククランパと支持プレート間にゴムリングを介在した構造が記載されている。
【０００７】
【特許文献１】特開２００３−２２３７７６号公報
【発明の開示】
【発明が解決しようとする課題】
【０００８】
前述したように、クランパを懸架する支持プレートを金属材料により形成して剛性を高める場合、ターンテーブルとクランパが直接、接触すると、接触音が金属製の支持プレートに伝って音が増幅してしまうことになり、この接触音を抑える騒音対策として特許文献１のように、クランパと支持プレートとの間にゴムリングを介在させてターンテーブルとクランパとの接触時における騒音を軽減する構造では、ゴムリングを組み付ける手間がかかるばかりでなく、ゴムリングを別途、形成する必要があり、製造工程も増加し、コストの上昇を招く、という課題を有している。
【０００９】
本発明は上述した問題点に鑑みてなされたものであり、部品点数を増やすことなくターンテーブルとクランパとの接触時における騒音を軽減することができる記録再生装置を提供することを目的とする。
【課題を解決するための手段】
【００１０】
請求項１の記録再生装置は、ディスク状の記憶媒体を搬送する搬送機構と、この搬送機構を取り付けるフレームと、前記フレーム内に搬入された前記記憶媒体を走査するピックアップユニットと、前記記憶媒体を回転するためのターンテーブルと、このターンテーブルの対向位置に設けられるクランパと、このクランパと対向して前記フレームの側壁部間に架設する支持プレートとを備え、この支持プレートを平板状の金属薄板によって形成した記録再生装置であって、前記クランパの近傍に位置してこのクランパと前記ターンテーブルの接触時に前記クランパから前記支持プレートに伝わる振動を抑える長孔を形成したことを特徴とする。
【００１１】
請求項１の構成により、搬送機構がフレームの内部に進入した際、トラバースユニットが上昇し、ターンテーブルとクランパとが衝突した場合、クランパから支持プレートに伝わる振動が支持プレートに形成する長孔によって抑制され、支持プレートの振動によって増幅するターンテーブルとクランパとの接触音が抑制される。
【００１２】
請求項２の記録再生装置は、請求項１記載の記録再生装置において、前記クランパが前記支持プレートの中心に対して前後に偏移した位置に取り付けられている場合、少なくとも前記長孔は、前記クランパの前方又は後方の広い領域側に形成されていることを特徴とする。
【００１３】
請求項２の構成により、クランパから支持プレートに伝わる振動は、支持プレートが大きいほど増幅し、支持プレートの振動による騒音も大きくなることから、クランパから支持プレートの広い領域に振動を抑制する長孔を形成することによってターンテーブルとクランパとの衝突による騒音をより効果的に抑制することが可能である。
【００１４】
本発明の請求項３の記録再生装置は、請求項１記載の記録再生装置において、前記クランパが前記支持プレートのほぼ中心位置に取り付けられ、且つ、前記支持プレートの幅寸法に対して前記支持プレートの奥行き寸法が短い場合、少なくとも前記長孔は、前記クランパの両側に形成されていることを特徴とする。
【００１５】
請求項３の構成により、幅寸法よりも奥行き寸法が短く形成された支持プレートの両側に伝わる振動を長孔によって効果的に抑制することが可能である。
【発明の効果】
【００１６】
請求項１の記録再生装置によれば、ディスク状の記憶媒体を搬送する搬送機構と、この搬送機構を取り付けるフレームと、前記フレーム内に搬入された前記記憶媒体を走査するピックアップユニットと、前記記憶媒体を回転するためのターンテーブルと、このターンテーブルの対向位置に設けられるクランパと、このクランパと対向して前記フレームの側壁部間に架設する支持プレートとを備え、この支持プレートを平板状の金属薄板によって形成した記録再生装置であって、前記クランパの近傍に位置してこのクランパと前記ターンテーブルの接触時に前記クランパから前記支持プレートに伝わる振動を抑える長孔を形成したものであるから、別途、支持プレートに伝わる振動を抑えるための専用部品を組み付けることなく、単に支持プレートに長孔を形成するといった極めて簡単な方法でターンテーブルとクランパとが接触した際の騒音を抑えることができるから、部品点数を削減して組み付け作業を簡略化することができる。
【００１７】
請求項２の記録再生装置によれば、請求項１記載の記録再生装置において、前記クランパが前記支持プレートの中心に対して前後に偏移した位置に取り付けられている場合、少なくとも前記長孔は、前記クランパの前方又は後方の広い領域側に形成されているから、支持プレートに対するクランパの位置に応じて、クランパから支持プレートに伝わる振動を効果的に抑制することができる。
【００１８】
本発明の請求項３の記録再生装置によれば、請求項１記載の記録再生装置において、前記クランパが前記支持プレートのほぼ中心位置に取り付けられ、且つ、前記支持プレートの幅寸法に対して前記支持プレートの奥行き寸法が短い場合、少なくとも前記長孔は、前記クランパの両側に形成されているから、幅寸法よりも奥行き寸法が短い支持プレートのほぼ中心位置にクランパが取り付けられている場合であっても、クランパから支持プレートに伝わる振動を効果的に抑制することができる。
【発明を実施するための最良の形態】
【００１９】
以下、本発明の記録再生装置（以下、ディスク装置と称す）の具体的実施例としてトレイ方式のディスク装置について、添付図面を参照しながら説明する。なお、以下の実施態様は、本発明を具体化する際の一形態であって、本発明をその範囲内に限定するためのものではない。
【００２０】
図１〜図４は本発明の一実施例を示すものであり、図１はクランパの後方に長孔を形成した状態を示すディスク装置の斜視図、図２は図１のＡ−Ａ線断面、図３はクランパの前方に長孔を形成した状態を示すディスク装置の斜視図、図４はクランパの両側に長孔を形成した状態を示すディスク装置の斜視図である。
【００２１】
同図に示すように、本実施例のディスク装置１は、図示しないディスクを搬入／搬出する搬送機構としてのトレイ２と、前記ディスクを回転駆動するターンテーブル３及びディスクの半径方向へ進退可能に設けたピックアップユニット４などを金属製シャーシ５に組み付けたトラバースユニット６を主要構成部品とし、これらの主要構成部品を組み付ける合成樹脂製のフレーム１０とで構成している。
【００２２】
前記フレーム１０は、合成樹脂によって成形され、水平壁部１０Ａと、この水平壁部１０Ａの左右両側に一体形成する側壁部１０Ｂと、水平壁部１０Ａの前後に一体形成する前壁部１０Ｃ及び後壁部１０Ｄとで構成された有底箱型に形成されている。また、前記側壁部１０Ｂの前部外面には左右一対のボス部１１が一体形成され、このボス部１１に金属製薄板から成る支持プレート１２がねじ１３によって固定されている。この支持プレート１２には前記ターンテーブル３と対向するクランパ１４が固定され、このクランパ１４とターンテーブル３とでディスクを挟持して前記ディスクを回転駆動する。また、前記トレイ２は前記フレーム１０の水平壁部１０Ａに支持されて水平方向に往復動する。
【００２３】
前記トレイ２は前記フレーム１０の水平壁部１０Ａに支持されて水平方向に往復動するものであり、前記トレイ２は射出成形などにより全体として平板状に成形されている。このトレイ２の上面には、段付きのほぼ円形の凹部２Ａ,２Ｂが形成してあり、１段目の凹部２Ａには、例えば１２センチＣＤなどのディスクが載置でき、２段目の凹部２Ｂには、例えば８センチＣＤなどのディスクが載置できる。
【００２４】
前記トラバースユニット６の金属製シャーシ５には、前記ピックアップユニット４をスライド自在に案内するための一対のガイドシャフト２０や、このガイドシャフト２０に沿って前記ピックアップユニット４をディスクの半径方向へと進退自在に移動させるモータ及び該モータの駆動を前記ピックアップユニット４に伝達するためのギア機構（何れも図示せず）などが組み込まれている。また、金属製シャーシ５の後端部両側に防振ゴム２３が装着され、この防振ゴム２３を介して金属製シャーシ５の後端部がフレーム１０に対して浮動的に取り付けられている。これにより、金属製シャーシ５は、後端部に装着した防振ゴム２３を支点としてその反対側の金属製シャーシ５の自由端（前端側）が上下方向に移動自在となり、金属製シャーシ５はフレーム１０に対して傾動自在となる。
【００２５】
一方、金属製シャーシ５の自由端（前端側）には図示しない連動機構によってトレイ２の動作と連動して左右方向に摺動するカム板２５が前記フレーム１０に対してスライド自在に組み込まれており、このカム板２５に形成するカム溝２６に前記トラバースユニット６の自由端が係合している。なお、カム板２５とトラバースユニット６との係合手段は特に限定されるものではないが、本実施例においては、カム板２５に形成するカム溝２６には、前記金属製シャーシ５から突出する前記ガイドシャフト２０の一端部が係合しており、カム板２５が左右方向にスライドすることによって、前記カム溝２６に案内された前記ガイドシャフト２０一端が上下動し、このガイドシャフト２０の上下動に連動して前記金属製シャーシ５を含むトラバースユニット６の自由端（前端側）が前記防振ゴム２３を支点として上下方向に昇降するように構成されている。これにより、トレイ２がフレーム１０の内部に進入しきった際、カム板２５をスライドさせてそのカム溝２６に係合しているガイドシャフト２０の一端部を上昇させることによって、そのガイドシャフト２０と一体的に金属製シャーシ５の自由端（前端側）が上方へと移動する。そして、図２に示すように、金属製シャーシ５は、前記フレーム１０の水平壁部１０Ａに対してほぼ平行に配置され、支持プレート１２に組み付けたクランパ１４と金属製シャーシ５に組み付けたターンテーブル３とでディスクを挟持してトレイ２に載置したディスクを回転駆動することが可能となる。
【００２６】
このように、トレイ２によってディスクを搬送する場合、トレイ２がフレーム１０の内部に進入しきった際、図示しない連動機構によってカム板２５がスライドしてトラバースユニット６が上昇するように構成しているため、前記トレイ２上にディスクが載置されていないときであっても、トレイ２が搬入すればトラバースユニット６は上昇し、ターンテーブル３とクランパ１４とが磁力によって吸着する。このため、ターンテーブル３とクランパ１４とが衝突し、その振動がクランパ１４を固定する金属製の支持プレート１２に伝わり、支持プレート１２によって騒音が増幅してしまう。そこで、本実施例においては、クランパ１４から支持プレート１２に伝わる振動を抑えるために、支持プレート１２に細長い長孔３０を形成している。この長孔３０は、フレーム１０に固定される支持プレート１２の形成位置に応じて形成している。すなわち、図１に示すように、クランパ１４が支持プレート１２の中心に対して前又は後に偏移している場合、長孔３０は、前記クランパ１４の広い領域側に形成する。したがって、クランパ１４より後方側の支持プレート１２が広い場合、クランパ１４より後方側に位置して左右一対の長孔３０を横方向に並べて形成し、図３に示すように、クランパ１４より前方側の支持プレート１２が広い場合、クランパ１４より前方側に位置して連続する横長な長孔３０ａを形成する。また、前後方向においてクランパ１４が前記支持プレート１２のほぼ中心位置に取り付けられ、且つ、支持プレート１２の幅寸法に対して支持プレート１２の奥行き寸法が短い場合、図４に示すように、長孔３０ｂはクランパ１４の両側に対向させて形成している。
【００２７】
以上のように構成されるディスク装置１は、フレーム１０に固定される支持プレート１２の形成位置に応じて長孔３０を形成することによって、例えば、トレイ２上にディスクが載置されていない状態で前記トレイ２が搬入され、ターンテーブル３とクランパ１４とが衝突したとしても、衝突時にクランパ１４から支持プレート１２に伝わる振動を長孔３０あるいは長孔３０ａ又は長孔３０ｂによって抑制することができ、支持プレート１２によって騒音が増幅することはない。したがって、ターンテーブル３とクランパ１４とが直接的に接触したとしても衝突音を可及的に小さく抑えることができる。また、従来技術のように、別途、ゴムリングを設ける必要もなく、単に支持プレート１２に長孔３０あるいは長孔３０ａ又は長孔３０ｂを形成するといった極めて簡単な方法でターンテーブル３とクランパ１４とが接触した際の騒音を抑えることができるから部品点数の増加を招くこともなく、組み付け作業の簡略化も可能である。
【００２８】
さらに、支持プレート１２に対するクランパ１４の位置に応じて、クランパ１４が支持プレート１２の中心に対して前又は後に偏移している場合、長孔３０又は長孔３０ａは、前記クランパ１４の広い領域側に形成し、また、クランパ１４が支持プレート１２の前後方向においてほぼ中心位置に取り付けられている場合、特に、支持プレート１２の幅寸法に対して支持プレート１２の奥行き寸法が短い場合、長孔３０ｂをクランパ１４の両側に形成することによって、クランパ１４から支持プレート１２に伝わる振動を効果的に抑制することができる。
【００２９】
以上、本発明の一実施例を詳述したが、本発明は前記実施例に限定されるものでなく、本発明の要旨の範囲内で種々の変形実施が可能である。例えば、カム板とトラバースユニットの係合手段などは適宜選定すればよい。また、ディスク装置の基本的構造なども前記実施例に限定されるものでなく、例えば、本発明の実施例においては記憶媒体の搬送機構としてトレイを備えた所謂トレイ方式のディスク装置について説明したが、本発明はトレイ方式のディスク装置に限定するものではなく、記憶媒体の挿入を直接行うことが可能なスロットイン方式のディスク装置や、複数の記憶媒体の収納を可能とするチェンジャー方式のディスク装置など、トラバースユニットの昇降手段以外の構造については適宜選定すればよい。
【図面の簡単な説明】
【００３０】
【図１】本発明の一実施例におけるクランパの後方に長孔を形成した状態を示すディスク装置の斜視図である。
【図２】同上、図１のＡ−Ａ線断面である。
【図３】同上、クランパの前方に長孔を形成した状態を示すディスク装置の斜視図である。
【図４】同上、クランパの両側に長孔を形成した状態を示すディスク装置の斜視図である。
【符号の説明】
【００３１】
１  ディスク装置
２  トレイ（搬送機構）
３  ターンテーブル
４  ピックアップユニット
５  金属製シャーシ
６  トラバースユニット
１０  フレーム
１２  支持プレート
１４  クランパ
３０，３０ａ，３０ｂ  長孔
【図１】
2007265521.tif 000003
【図２】
2007265521.tif 000004
【図３】
2007265521.tif 000005
【図４】
2007265521.tif 000006